【手続補正書】
【提出日】平成20年11月6日(2008.11.6)
【手続補正１】
【補正対象書類名】特許請求の範囲
【補正対象項目名】全文
【補正方法】変更
【補正の内容】
【特許請求の範囲】
【請求項１】
受信信号に含まれる同相成分および直交成分のコンスタレーション上での位相回転角に基づいて位相変調の相数を切り替えて無線送信を行う無線送信部と、
前記位相回転角に関する情報を有線伝送路を介して前記無線送信部に伝送する有線伝送部とを有することを特徴とする無線通信装置。
【請求項２】
前記受信信号に含まれる同相成分および直交成分を１ビット化する１ビット化部と、
前記１ビット化された同相成分および直交成分に基づいて、前記同相成分および直交成分のコンスタレーション上での位相回転角を算出する位相回転角算出部とを有することを特徴とする請求項１記載の無線通信装置。
【請求項３】
前記無線送信部は、前記コンスタレーション上での位相回転角が同相成分軸または直交成分軸から所定の範囲内にある場合にはＢＰＳＫ方式にて無線送信を行い、前記コンスタレーション上での位相回転角が同相成分軸または直交成分軸から所定の範囲外にある場合にはＱＰＳＫ方式にて無線送信を行うことを特徴とする請求項１または２記載の無線通信装置。
【請求項４】
２相位相変調方式にて無線送信を行う無線送信部と、
前記無線送信部から送信された送信信号を受信する無線受信部と、
前記無線受信部にて受信された受信信号に含まれる同相成分および直交成分を１ビット化する１ビット化部と、
前記１ビット化された同相成分および直交成分のコンスタレーション上での位相回転角に関する情報に基づいて、前記受信信号のビット判定を行うビット判定部とを有することを特徴とする無線通信装置。
【請求項５】
前記無線送信部は、ビット値が固定されたパイロット信号を一定の時間間隔で送信データに挿入して無線送信を行うことを特徴とする請求項１から４のいずれか１項記載の無線通信装置。
【請求項６】
第１筐体部と、
第２筐体部と、
前記第１筐体部と前記第２筐体部との位置関係を変えられるように前記第１筐体部と前記第２筐体部とを連結する連結部と、
前記第１筐体部に搭載され、受信信号に含まれる同相成分および直交成分のコンスタレーション上での位相回転角に基づいて位相変調の相数を切り替えて無線送信を行う内部無線送信部と、
前記第２筐体部に搭載され、前記内部無線送信部から送信されたデータを受信する内部無線受信部と、
前記内部無線受信部にて受信された受信信号に含まれる同相成分および直交成分を１ビット化する１ビット化部と、
前記１ビット化された同相成分および直交成分に基づいて、前記同相成分および直交成分のコンスタレーション上での位相回転角を算出する位相回転角算出部と、
前記位相回転角に関する情報を有線伝送路を介して前記内部無線送信部に伝送する有線伝送部とを有することを特徴とする無線通信装置。
【請求項７】
前記第１筐体部に搭載され、前記無線通信装置の外部と無線通信を行う外部無線通信部と、
前記第２筐体部に搭載された表示部とを有することを特徴とする請求項６に記載の無線通信装置。
【請求項８】
同一半導体チップに形成された第１および第２回路ブロックと、
前記第１回路ブロックに形成され、受信信号に含まれる同相成分および直交成分のコンスタレーション上での位相回転角に基づいて位相変調の相数を切り替えて無線送信を行う内部無線送信部と、
前記第２回路ブロックに形成され、前記内部無線送信部から送信されたデータを受信する内部無線受信部と、
前記内部無線受信部にて受信された受信信号に含まれる同相成分および直交成分を１ビット化する１ビット化部と、
前記１ビット化された同相成分および直交成分に基づいて、前記同相成分および直交成分のコンスタレーション上での位相回転角を算出する位相回転角算出部と、
前記位相回転角に関する情報を有線伝送路を介して前記内部無線送信部に伝送する有線伝送部とを有することを特徴とする無線通信装置。
【請求項９】
実装基板上に実装された第１および第２半導体チップと、
前記第１半導体チップに形成され、受信信号に含まれる同相成分および直交成分のコンスタレーション上での位相回転角に基づいて位相変調の相数を切り替えて無線送信を行う内部無線送信部と、
前記第２半導体チップに形成され、前記内部無線送信部から送信されたデータを受信する内部無線受信部と、
前記内部無線受信部にて受信された受信信号に含まれる同相成分および直交成分を１ビット化する１ビット化部と、
前記１ビット化された同相成分および直交成分に基づいて、前記同相成分および直交成分のコンスタレーション上での位相回転角を算出する位相回転角算出部と、
前記位相回転角に関する情報を有線伝送路を介して前記内部無線送信部に伝送する有線伝送部とを有することを特徴とする無線通信装置。
【請求項１０】
受信信号に含まれる同相成分および直交成分のコンスタレーション上での位相回転角に基づいて位相変調の相数を切り換えて、前記相数を切り替えた位相変調を用いて無線送信部から無線送信を行う無線送信工程と、
前記位相回転角に関する情報を有線伝送路を介して前記無線送信部に伝送する有線伝送工程とを有することを特徴とする無線通信方法。
【手続補正２】
【補正対象書類名】明細書
【補正対象項目名】発明の名称
【補正方法】変更
【補正の内容】
【発明の名称】無線通信装置および無線通信方法
【手続補正３】
【補正対象書類名】明細書
【補正対象項目名】０００１
【補正方法】変更
【補正の内容】
【０００１】
本発明は無線通信装置および無線通信方法に関し、特に、ＢＰＳＫ（２相位相変調）方式とＱＰＳＫ（４相位相変調）方式とを切り替えながら双方向通信を行う方法に適用して好適なものである。。
【手続補正４】
【補正対象書類名】明細書
【補正対象項目名】０００６
【補正方法】変更
【補正の内容】
【０００６】
上述した課題を解決するために、本発明の一態様に係る無線通信装置によれば、受信信号に含まれる同相成分および直交成分のコンスタレーション上での位相回転角に基づいて位相変調の相数を切り替えて無線送信を行う無線送信部と、前記位相回転角に関する情報を有線伝送路を介して前記無線送信部に伝送する有線伝送部とを有することを特徴とする。
【手続補正５】
【補正対象書類名】明細書
【補正対象項目名】０００８
【補正方法】変更
【補正の内容】
【０００８】
また、本発明の一態様に係る無線通信装置によれば、前記受信信号に含まれる同相成分および直交成分を１ビット化する１ビット化部と、前記１ビット化された同相成分および直交成分に基づいて、前記同相成分および直交成分のコンスタレーション上での位相回転角を算出する位相回転角算出部とを有することを特徴とする。
これにより、受信側と送信側とで搬送波の周波数偏差がある場合においても、多ビットＡＤコンバータやＡＤコンバータの入力レベルを調整するための自動利得制御回路を用いることなく、送信ビットを受信側で正しく判定することができ、位相変調方式の回路規模を低減することが可能となる。
【手続補正６】
【補正対象書類名】明細書
【補正対象項目名】０００９
【補正方法】変更
【補正の内容】
【０００９】
また、本発明の一態様に係る無線通信装置によれば、前記無線送信部は、前記コンスタレーション上での位相回転角が同相成分軸または直交成分軸から所定の範囲内にある場合にはＢＰＳＫ方式にて無線送信を行い、前記コンスタレーション上での位相回転角が同相成分軸または直交成分軸から所定の範囲外にある場合にはＱＰＳＫ方式にて無線送信を行うことを特徴とする。
これにより、受信側と送信側とで搬送波の周波数偏差がある場合においても、同相成分Ｉおよび直交成分Ｑの１ビット分の情報を用いることで、送信ビットを受信側で正しく判定することができ、位相変調方式の回路規模を低減することが可能となるとともに、ＱＰＳＫ方式に必要な回路規模を削減しつつ、ＢＰＳＫ方式に比べてスループッットを向上させることができる。
【手続補正７】
【補正対象書類名】明細書
【補正対象項目名】００１０
【補正方法】変更
【補正の内容】
【００１０】
また、本発明の一態様に係る無線通信装置によれば、２相位相変調方式にて無線送信を行う無線送信部と、前記無線送信部から送信された送信信号を受信する無線受信部と、
前記無線受信部にて受信された受信信号に含まれる同相成分および直交成分を１ビット化する１ビット化部と、前記１ビット化された同相成分および直交成分のコンスタレーション上での位相回転角に関する情報に基づいて、前記受信信号のビット判定を行うビット判定部とを有することを特徴とする。
【手続補正８】
【補正対象書類名】明細書
【補正対象項目名】００１１
【補正方法】変更
【補正の内容】
【００１１】
これにより、受信信号の同相成分および直交成分がそれぞれ１ビット化された状態で、受信信号の同相成分および直交成分がＩ軸もしくはＱ軸に近づいた場合においても、受信ビットを正しく判定することができ、回路規模を低減することを可能としつつ、位相変調方式による通信を安定して行うことが可能となる。
また、本発明の一態様に係る無線通信装置によれば、前記無線送信部は、ビット値が固定されたパイロット信号を一定の時間間隔で送信データに挿入して無線送信を行うことを特徴とする。
【手続補正９】
【補正対象書類名】明細書
【補正対象項目名】００１２
【補正方法】変更
【補正の内容】
【００１２】
これにより、パイロット信号を順次受信することで位相回転の角速度を算出することが可能となり、同相成分Ｉおよび直交成分Ｑが１ビット化されている場合においても、同相成分Ｉおよび直交成分Ｑのコンスタレーション上での位相回転角を把握することができる。
また、本発明の一態様に係る無線通信装置によれば、第１筐体部と、第２筐体部と、前記第１筐体部と前記第２筐体部との位置関係を変えられるように前記第１筐体部と前記第２筐体部とを連結する連結部と、前記第１筐体部に搭載され、受信信号に含まれる同相成分および直交成分のコンスタレーション上での位相回転角に基づいて位相変調の相数を切り替えて無線送信を行う内部無線送信部と、前記第２筐体部に搭載され、前記内部無線送信部から送信されたデータを受信する内部無線受信部と、前記内部無線受信部にて受信された受信信号に含まれる同相成分および直交成分を１ビット化する１ビット化部と、前記１ビット化された同相成分および直交成分に基づいて、前記同相成分および直交成分のコンスタレーション上での位相回転角を算出する位相回転角算出部と、前記位相回転角に関する情報を有線伝送路を介して前記内部無線送信部に伝送する有線伝送部とを有することを特徴とする。
また、本発明の一態様に係る無線通信装置によれば、前記第１筐体部に搭載され、前記無線通信装置の外部と無線通信を行う外部無線通信部と、前記第２筐体部に搭載された表示部とを有することを特徴とする。
【手続補正１０】
【補正対象書類名】明細書
【補正対象項目名】００１４
【補正方法】変更
【補正の内容】
【００１４】
また、本発明の一態様に係る無線通信装置によれば、同一半導体チップに形成された第１および第２回路ブロックと、前記第１回路ブロックに形成され、受信信号に含まれる同相成分および直交成分のコンスタレーション上での位相回転角に基づいて位相変調の相数を切り替えて無線送信を行う内部無線送信部と、前記第２回路ブロックに形成され、前記内部無線送信部から送信されたデータを受信する内部無線受信部と、前記内部無線受信部にて受信された受信信号に含まれる同相成分および直交成分を１ビット化する１ビット化部と、前記１ビット化された同相成分および直交成分に基づいて、前記同相成分および直交成分のコンスタレーション上での位相回転角を算出する位相回転角算出部と、前記位相回転角に関する情報を有線伝送路を介して前記内部無線送信部に伝送する有線伝送部とを有することを特徴とする。
【手続補正１１】
【補正対象書類名】明細書
【補正対象項目名】００１６
【補正方法】変更
【補正の内容】
【００１６】
また、本発明の一態様に係る無線通信装置によれば、実装基板上に実装された第１および第２半導体チップと、前記第１半導体チップに形成され、受信信号に含まれる同相成分および直交成分のコンスタレーション上での位相回転角に基づいて位相変調の相数を切り替えて無線送信を行う内部無線送信部と、前記第２半導体チップに形成され、前記内部無線送信部から送信されたデータを受信する内部無線受信部と、前記内部無線受信部にて受信された受信信号に含まれる同相成分および直交成分を１ビット化する１ビット化部と、前記１ビット化された同相成分および直交成分に基づいて、前記同相成分および直交成分のコンスタレーション上での位相回転角を算出する位相回転角算出部と、前記位相回転角に関する情報を有線伝送路を介して前記内部無線送信部に伝送する有線伝送部とを有することを特徴とする。
【手続補正１２】
【補正対象書類名】明細書
【補正対象項目名】００１７
【補正方法】変更
【補正の内容】
【００１７】
これにより、回路規模を低減することを可能としつつ、実装基板上に実装された半導体チップ間の通信を位相変調方式にて行わせることが可能となる。このため、実装基板上に12 形成される配線数を減らすことを可能となり、実装基板上におけるレイアウト設計の自由度を向上させることが可能となるとともに、大量のデータのやり取りを実装基板上で高速に行わせることが可能となる。
また、本発明の一態様に係る無線通信方法によれば、受信信号に含まれる同相成分および直交成分のコンスタレーション上での位相回転角に基づいて位相変調の相数を切り換えて、前記相数を切り替えた位相変調を用いて無線送信部から無線送信を行う無線送信工程と、前記位相回転角に関する情報を有線伝送路を介して前記無線送信部に伝送する有線伝送工程とを有することを特徴とする。